(57)【要約】【課題】就寝中に横向き姿勢であっても適切な高さに頭部を支えることが可能な敷布団を提供する。【解決手段】敷布団１０は、全体がクッション材３１ａ〜３１ｃよりなり、長さ方向Ｘの一端部寄りに他の部位より弾性率が小さい肩支持部１２を有し、肩支持部１２は、上面が開口する互いに平行な複数の溝２０と、隣り合う溝間に形成される少なくとも１個の突条２１を備える。【選択図】図１
2019136234.tif 000002
【特許請求の範囲】
【請求項１】
全体がクッション材よりなり、
長さ方向の一端部寄りに他の部位より圧縮率が大きい肩支持部を有し、
前記肩支持部は、上面が開口する互いに平行な複数の溝と、隣り合う溝間に形成される少なくとも１個の突条を備える敷布団。
【請求項２】
前記突条は、平面視の形状が真っ直ぐな帯状である請求項１に記載の敷布団。
【請求項３】
前記突条は、前記幅方向に沿って形成されている請求項２に記載の敷布団。
【請求項４】
前記突条は、平面視の形状がＶ字状であって屈曲部を有している請求項１に記載の敷布団。
【請求項５】
前記溝および突条は、全幅にわたって形成されている請求項１から４のいずれかに記載の敷布団。
【請求項６】
前記突条は、前記突条の長さ方向と直交する断面形状が、矩形状、台形状、逆台形状、凸曲面状のいずれかである請求項１から５のいずれかに記載の敷布団。
【請求項７】
前記突条は、他の部位より圧縮率が大きいクッション材よりなる請求項１から６のいずれかに記載の敷布団。
【発明の詳細な説明】
【技術分野】
【０００１】
本発明は、枕上の頭部が適切な高さになるよう支持することが可能な敷布団に関するものである。
【背景技術】
【０００２】
従来より、良好な睡眠を得るためには、頭部を適切な高さに支えることが重要であることが知られている。頭部が適切に支えられていないと、首や肩に体重が集中してしびれや麻痺が生じたり、頸椎が曲げられて気道が圧迫される等により無呼吸やいびきの原因となる。
【０００３】
就寝時は、人は寝返りを繰り返して、仰向け姿勢や横向き姿勢を取ることが多い。上半身は、仰向け姿勢時には背中が敷布団に接するのに対して、横向き姿勢時には肩が敷布団に接するため、横向き姿勢時の頭部の位置は、仰向け姿勢時の頭部の位置よりも高く、約４〜５ｃｍの差異があると言われている。通常、枕の高さは仰向け姿勢時における頭の位置が適切な高さとなるように設定されているため、横向き姿勢の場合には、枕の高さは適切ではない。
【０００４】
このため、例えば、特許文献１には、人の姿勢に応じて枕の高さを調整することが可能な枕が提案されている。この枕は、就寝中の人の姿勢を検知するセンサと、ポンプ手段により流体を枕内に注入するポンプ手段を備え、人の姿勢に応じて枕内に流体を注入して枕の高さを調整している。
【先行技術文献】
【特許文献】
【０００５】
【特許文献１】特開平１０−１１３２６９号公報
【発明の概要】
【発明が解決しようとする課題】
【０００６】
しかし、特許文献１に記載の枕は、就寝中に頭部の直近でポンプ手段の動作音や流体が流れ込む音が発生するために就寝が妨げられるという問題がある。このため、枕ではなく敷布団において頭部の高さを調整する手段を設けることが要望されていた。
【０００７】
本発明は、上記した課題に着目してなされたものであり、就寝中に横向き姿勢になっても枕上の頭部が適切な高さに支えられる敷布団を提供することを課題としている。
【課題を解決するための手段】
【０００８】
本発明による敷布団は、全体がクッション材よりなり、長さ方向の一端部寄りに他の部位より圧縮率が大きい肩支持部を有し、前記肩支持部は、上面が開口する互いに平行な複数の溝と、隣り合う溝間に形成される少なくとも１個の突条を備える。
【０００９】
枕の高さは、仰向け姿勢時に頭部が適切な高さに位置するように設定されているが、寝返りにより横向き姿勢となり、肩支持部の突条に肩が載置されたとき、突条は押圧によりその両側の溝に押し広げられるように圧縮変形するので、肩が肩支持部に沈み込み、相対的に肩の位置と枕の上面との間の距離が長くなる。このため、頭部は適切な高さで支えられる。
このように、本発明によれば、就寝時に仰向け姿勢、横向き姿勢のいずれとなっても、枕上の頭部が適切な高さに支えられる。
さらに、頭部が適切な高さに支えられることで、仰向け姿勢、横向き姿勢のいずれとなっても頸椎が略水平に保たれるため、気道が狭くなったり圧迫されたりすることがなく、無呼吸やいびきを防ぐことができる。
【００１０】
また、溝が、腕が入り込む程度に押し広げることが可能な幅及び深さに設定されている場合、溝に腕を入り込ませることで、肩をより敷布団に沈み込ませることができる。
【００１１】
好ましい実施形態においては、前記突条は、平面視の形状が真っ直ぐな帯状である。
【００１２】
上記の実施形態においては、前記突条は、前記幅方向に沿って形成されていてもよい。
【００１３】
他の実施形態においては、前記突条は、平面視の形状がＶ字状であって屈曲部を有していてもよい。
【００１４】
上記の実施形態においては、前記屈曲部が、前記幅方向の中央部に位置していてもよい。
【００１５】
好ましい実施形態においては、前記溝および突条は、全幅にわたって形成されている。
【００１６】
前記突条は、長さ方向と直交する断面形状が、矩形状、台形状、逆台形状、凸曲面状のいずれかであってもよい。
【００１７】
前記突条は、他の部位より圧縮率が大きいクッション材であってもよい。
【発明の効果】
【００１８】
本発明の敷布団によれば、就寝時に仰向け姿勢、横向き姿勢のいずれとなっても、枕上の頭部が適切な高さに支えられる。
【図面の簡単な説明】
【００１９】
【図１】本発明の一実施形態に係る敷布団の斜視図である。
【図２】敷布団の平面図である。
【図３】図２のＡ−Ａ線に沿う断面図である。
【図４】（Ａ）は人の仰向け姿勢時、（Ｂ）は横向き姿勢時の敷布団の状態を説明する図である。
【図５】溝および突条の他の例を示す平面図である。
【図６】溝および突条の他の例を示す平面図である。
【図７】突条の断面形状が、（Ａ）は台形状、（Ｂ）は逆台形状、（Ｃ）は凸曲面状である敷布団の断面図である。
【図８】敷布団の使用状態を示す図である。
【発明を実施するための形態】
【００２０】
本発明の実施形態を図面を参照して説明する。
図１〜図３は、本発明の一実施形態の敷布団１０を示す。敷布団１０は、全体がクッション材３１ａ〜３１ｃよりなり、長さ方向Ｘの一端側から順に、頭部を支持する頭部支持部１１と、肩を支持する肩支持部１２と、背、腰、脚を支持する腰脚支持部１３とに分けられる。
【００２１】
なお、敷布団１０とは、人Ｐが横たわる際に体の下に敷くものであればよく、マットレスなどを含む。
【００２２】
肩支持部１２は、敷布団１０の長さ方向Ｘの一端部寄りに位置しており、敷布団１０の頭部支持部１１に連続して肩支持部１２が形成されている。
【００２３】
敷布団１０の長さ方向Ｘの長さをＬとすると、頭部支持部１１の長さ方向Ｘの長さＬ２は、Ｌ／６以上、Ｌ／３以下である。肩支持部１２の長さ方向Ｘの長さＬ１は、Ｌ／３０以上、Ｌ／４以下であることが好ましく、本実施形態では約Ｌ／５の長さとしている。
【００２４】
本実施形態においては、シングル及びダブルの敷布団１０の長さ方向Ｘの長さＬを２００ｃｍとすると、頭部支持部１１の長さ方向Ｘの長さＬ２は４０ｃｍであり、肩支持部１２の長さ方向Ｘの長さＬ１は４０ｃｍであり、腰脚支持部１３の長さ方向Ｘの長さＬ３は１２０ｃｍである。
【００２５】
頭部支持部１１は、平面から見た形状が矩形状のクッション材３１ａに袋状のカバー３２ａを被せたものである。また、腰脚支持部１３は、平面から見た形状が矩形状のクッション材３１ｃに袋状のカバー３２ｃを被せたものである。クッション材３１ａ、３１ｃの素材は、例えば、ウレタンフォームであるが、ポリエステル、アクリル、ポリプロピレンなどの合成繊維から構成されていてもよい。
【００２６】
肩支持部１２は、上面が開口する互いに平行な複数の溝２０と、隣り合う溝２０間に形成される少なくとも１個の突条２１を備えている。本実施形態では、５本の溝２０と、溝２０の間に４つの突条２１を備えているが、溝２０及び突条２１の個数は限定されない。突条２１は、平面視の形状が真っ直ぐな帯状であり敷布団１０の全幅にわたって形成されている。突条２１は、長さ方向Ｘと直交する断面形状が矩形状である。突条２１及び溝２０は、直方体のクッション材３１ｂに袋状のカバー３２ｂを被せたものを間隔を隔てて立設することにより形成される。突条２１のクッション材３１ｂは、頭部支持部１１及び腰脚支持部１３のクッション材３１ａ、３１ｃと同じ素材からなる。
【００２７】
肩支持部１２は、頭部支持部１１及び腰脚支持部１３より圧縮率が大きく、圧縮変形しやすいが、これは、肩支持部１２が突条２１と溝２０とから形成されているため、突条２１に上方から力が加わったときに、突条２１のクッション材３１ｂが溝２０に押し広げられるように圧縮変形するためである。
【００２８】
突条２１の幅Ｌ５（敷布団１０の長さ方向Ｘの長さ）が小さく、溝２０の幅Ｌ４（敷布団１０の長さ方向Ｘの長さ）が広ければ、突条２１は圧縮変形しやすくなり肩は沈みやすくなる。突条２１の幅Ｌ５と溝２０の幅Ｌ４は、所望の肩位置の下げ幅に応じて選定される。突条２１の幅Ｌ５は３ｃｍ以上、１５ｃｍ以下が好ましく、７ｃｍ以上、８ｃｍ以下がより好ましく、本実施形態では約７．５ｃｍとしている。溝２０の幅Ｌ４は、人Ｐの腕がり込む程度に押し広げることが可能な幅であることが好ましく、１ｃｍ以上、３ｃｍ以下が好ましく、本実施形態では約２ｃｍとしている。
また、溝２０の深さＬ６は、人Ｐの腕が入り込む程度の深さであることが好ましく、３ｃｍ以上、１０ｃｍ以下が好ましく、本実施形態では７ｃｍとしている。
【００２９】
敷布団１０は、１枚の布地３０の上面に、頭部支持部１１、腰脚支持部１３、肩支持部１２の突条２１のカバー３２ａ、３２ｂ、３２ｃの下面が縫い付けられることで製造される。なお、製造方法はこれに限定されず、例えば、所望の大きさの平板状のクッション材の上面の所定位置に溝２０及び突条２１を形成し、クッション材の外形に沿った形状のカバーを被せることで、敷布団１０を構成してもよい。
【００３０】
図４（Ａ）、図４（Ｂ）は人Ｐの仰向け姿勢時及び横向き姿勢時の本実施形態の敷布団１０を示す説明図である。図４（Ａ）は人Ｐの仰向け姿勢時を示しており、背中が敷布団１０の肩支持部１２の突条２１に接する程度の小さな押圧力のため、肩支持部１２の圧縮率が頭部支持部１１、腰脚支持部１３よりも大きくても背中や肩はそれほど肩支持部１２に沈み込まず、頭部は枕４０により適切な高さｈ１に支持される。図４（Ｂ）は人Ｐの横向き姿勢を示しており、肩支持部１２の突条２１に肩が載置されると、突条２１はその両側に溝２０があるために大きく圧縮変形し、肩が肩支持部１２に沈み込む。このため、仰向け姿勢時と同じ高さｈ１の枕４０であっても、頭部は適切な高さに支えられる。
【００３１】
このように、本実施形態の敷布団１０によれば、仰向け姿勢、横向き姿勢のいずれとなっても、枕４０上の頭部が適切な高さに支えられる。
【００３２】
図８は、押し広げられた溝２０中に腕を入れた横向き姿勢を示している。この姿勢によると、肩が沈み込む度合いをより下げることができ、頭部を適切な高さで支えることができる。また、同じ敷布団１０で寝ている子供やパートナー、ペットなどに溝２０に腕を入れて腕枕をする際に、腕に子供等の体重がかからず腕がしびれることがない。
【００３３】
なお、本発明は上記実施形態に限定されるものではない。例えば、図５に示すように、溝２０及び突条２１を平面視の形状がＶ字状であって屈曲部２０ａ、２１ａを有するように形成してもよい。この場合、屈曲部２０ａ、２１ａが、幅方向Ｙの中央部に位置していてもよい。この構成によれば、就寝時に左右のいずれの方向に横向き姿勢を取っても、腕を斜め上方向に延ばして溝２０に入れることができる。
【００３４】
さらに、図６に示すように、突条２１及び溝２０は敷布団１０の幅方向Ｙの両端側には形成されておらず、中央部にのみ形成されていてもよい。
【００３５】
また、上記の実施形態において、図７に示すように、突条２１は、長さ方向Ｘと直交する断面形状が、台形状（図７（Ａ））、逆台形状（図７（Ｂ））、凸曲面状（図７（Ｃ））のいずれかであってもよい。また、同じ敷布団１０において、複数の突条２１の断面形状がそれぞれ異なっていてもよい。なお、凸曲面状とは、矩形状の上端部のみが丸くなった形状や、上に凸となった半円形状や半楕円形状を含む。
【００３６】
また、上記の実施形態において、突条２１は、頭部支持部１１及び腰脚支持部１３より圧縮率が大きいクッション材を用いてもよい。突条２１は圧縮変形しやすくなるため、肩位置をより下げることができる。
【００３７】
以上、本発明の一実施形態について説明したが、本発明は上記実施形態に限定されるものではなく、本発明の趣旨を逸脱しない限りにおいて種々の変更が可能である。
【符号の説明】
【００３８】
１０  敷布団
１２  肩支持部
２０  溝
２１  突条
３１ａ〜３１ｃ  クッション材
Ｘ  敷布団の長さ方向
Ｌ  敷布団の長さ方向の長さ
Ｌ１  肩支持部の長さ方向の長さ
Ｌ４  溝の幅
Ｌ５  突条の幅
Ｐ  人
Ｐａ  肩
【図１】
2019136234.tif 000003
【図２】
2019136234.tif 000004
【図３】
2019136234.tif 000005
【図４】
2019136234.tif 000006
【図５】
2019136234.tif 000007
【図６】
2019136234.tif 000008
【図７】
2019136234.tif 000009
【図８】
2019136234.tif 000010